(57)【要約】【課題】作業が簡素でありながら、使用者が原稿支持面上での原稿の位置を確認できる、画像読取装置を提供する。【解決手段】原稿カバー５がコンタクトガラスを露出させる開状態とコンタクトガラスを被覆する閉状態とに開閉可能に設けられている。これにより、コンタクトガラス上に支持された原稿を原稿カバー５で押さえることができる。そして、原稿カバー５の一部が透明部材９で構成されており、ユーザが透明部材９を通してコンタクトガラス上に支持された原稿を視認することができる。【選択図】図１
2019193212.tif 000002
【特許請求の範囲】
【請求項１】
原稿を支持する原稿支持面を有する支持部と、
前記原稿支持面に対して開閉可能に設けられる原稿カバーと、
前記原稿支持面に対して前記原稿カバーと反対側に設けられ、主走査方向に沿って並ぶ複数の読取素子を有する読取センサと、
前記読取センサを移動させる移動機構と、
制御部と、を備え、
前記制御部は、前記移動機構により前記読取センサを前記主走査方向と直交して前記原稿支持面に沿って延びる副走査方向に移動させながら、前記原稿支持面に支持された原稿の画像を前記読取センサに読み取らせる読取処理を実行し、
前記原稿カバーは、その一部が前記原稿カバーの厚さ方向に光を透過させる透明部材で構成されている、画像読取装置。
【請求項２】
請求項１に記載の画像読取装置であって、
前記読取センサは、第１ロッド状レンズアレイと、前記第１ロッド状レンズアレイと異なる焦点距離を持つ第２ロッド状レンズアレイを含み、
前記複数の読取素子は、前記第１ロッド状レンズアレイに対応して配置され前記主走査方向に沿って並ぶ第１読取素子群と、前記第２ロッド状レンズアレイに対応して配置され前記主走査方向に沿って並ぶ第２の読取素子群とを含み、
前記制御部は、
前記読取処理の実行前に、前記移動機構により前記読取センサを前記副走査方向に移動させながら、前記読取センサに所定領域の画像を読み取らせるプレ読取処理を実行し、前記所定領域は、前記透明部材と前記原稿カバーにおける前記透明部材以外の部分との境界枠で構成される範囲よりも広い範囲であり、
前記プレ読取処理によって得られた画像に、前記境界枠を表す対象画像が含まれるか否かを判断し、
前記対象画像の少なくとも一部が含まれないと判断した場合、前記読取処理では、第１読取素子群を用いて原稿の画像を前記読取センサに読み取らせ、
前記対象画像の全体が含まれると判断した場合、前記読取処理では、第２読取素子群を用いて原稿の画像を前記読取センサに読み取らせる、画像読取装置。
【請求項３】
請求項１または２に記載の画像読取装置であって、
前記制御部は、
前記読取処理の実行前に、前記移動機構により前記読取センサを副走査方向に移動させながら、前記読取センサに所定領域の画像を読み取らせるプレ読取処理を実行し、前記所定領域は、前記透明部材と前記原稿カバーにおける前記透明部材以外の部分との境界枠で構成される範囲より広い範囲であり、
前記プレ読取処理によって得られた画像に、前記境界枠を表す対象画像が含まれるか否かを判断し、
前記対象画像の少なくとも一部が含まれないと判断した場合、前記読取処理で読み取った画像に対して第１フィルタを用いた第１画像処理を実行し、
前記対象画像の全体が含まれると判断した場合、前記読取処理で読み取った画像に対して前記第１フィルタと異なる第２フィルタを用いた第２画像処理を実行する、画像読取装置。
【請求項４】
請求項１〜３のいずれか一項に記載の画像読取装置であって、
前記制御部は、
前記読取処理の実行前に、前記移動機構により前記読取センサを前記副走査方向に移動させながら、前記読取センサに所定領域の画像を読み取らせるプレ読取処理を実行し、前記所定領域は、前記透明部材と前記原稿カバーにおける前記透明部材以外の部分との境界枠で構成される範囲よりも広い範囲であり、
前記プレ読取処理によって得られた画像に、前記境界枠を表す対象画像が含まれるか否かを判断し、
前記対象画像の少なくとも一部が含まれないと判断した場合、前記読取処理の実行時に、前記原稿支持面に支持された原稿のエッジを検出するエッジ検出を行い、前記原稿支持面の端から前記エッジ検出により検出されたエッジとの間を原稿幅として原稿サイズを決定し、決定した原稿サイズに基づき画像データを生成し、
前記対象画像の全体が含まれると判断した場合、前記境界枠より内側の画像を切り出して画像データを生成する、画像読取装置。
【請求項５】
請求項４に記載の画像読取装置であって、
前記原稿支持面には、前記原稿支持面の前記副走査方向の一方側の端縁に沿った領域であって、原稿が支持される原稿支持領域が設定されており、
前記制御部は、
前記移動機構により前記読取センサを前記境界枠と前記端縁との間の位置に移動させ、当該位置から前記一端縁に向けて前記読取センサを移動させながら読み取った画像から、原稿のエッジを検出する、画像読取装置。
【請求項６】
請求項２〜５のいずれか一項に記載の画像読取装置であって、
前記制御部は、
前記対象画像が含まれないと判断した場合、前記読取処理の実行時に、前記移動機構により前記読取センサを前記副走査方向に最大距離移動させて、前記原稿支持面に支持された原稿の画像を前記読取センサに読み取らせ、
前記対象画像の一部または全部が含まれると判断した場合、前記読取処理の実行時に、前記移動機構により前記読取センサを前記副走査方向に前記対象画像で表される前記境界枠の位置に基づき前記最大距離よりも小さい距離移動させて、前記原稿支持面に支持された原稿の画像を前記読取センサに読み取らせる、画像読取装置。
【請求項７】
請求項１〜６のいずれか一項に記載の画像読取装置であって、
前記原稿支持面には、前記原稿支持面の前記副走査方向の一方側の端縁および当該端縁と直交する端縁がなす角を基準に原稿が支持される原稿支持領域が設定されており、
前記透明部材は、前記透明部材の中心が前記原稿カバーの中央より前記角に近い箇所となるように設けられている、画像読取装置。
【請求項８】
請求項１〜７のいずれか一項に記載の画像読取装置であって、
前記原稿カバーには、前記透明部材と前記原稿カバーにおける前記透明部材以外の部分との境界枠の外側の周縁部に特定画像が設けられている、画像読取装置。
【発明の詳細な説明】
【技術分野】
【０００１】
本発明は、画像読取装置に関する。
【背景技術】
【０００２】
従来、ＦＢ（Flat Bed：フラットベッド）方式により画像を読み取るスキャナ装置（画像読取装置）において、圧板とコンタクトガラスとの間に透明圧板を開閉可能に設ける構成が提案されている（たとえば、特許文献１参照）。このような構成により、透明圧板を閉じてコンタクトガラス上に原稿を密着させ、透明圧板を介して原稿を目視して、原稿がずれているかを確認できる。
【先行技術文献】
【特許文献】
【０００３】
【特許文献１】特開２０００−２３５２３５号公報
【発明の概要】
【発明が解決しようとする課題】
【０００４】
その提案の構成では、原稿セット時に、透明圧板および圧板（原稿カバー）が開かれた状態でコンタクトガラス（原稿支持面）上に原稿が載置された後、透明圧板を閉じる作業と圧板（原稿カバー）を閉じる作業との２作業が必要であり、ユーザにとって煩わしい。
【０００５】
本発明の目的は、作業が簡素でありながら、ユーザが原稿支持面上での原稿の位置を確認できる、画像読取装置を提供することである。
【課題を解決するための手段】
【０００６】
前記の目的を達成するため、本発明に係る画像読取装置は、原稿を支持する原稿支持面を有する支持部と、原稿支持面に対し開閉可能に設けられる原稿カバーと、原稿支持面に対して原稿カバーと反対側に設けられ、主走査方向に沿って並ぶ複数の読取素子を有する読取センサと、読取センサを移動させる移動機構と、制御部と、を備え、制御部は、移動機構により読取センサを主走査方向と直交して原稿支持面に沿って延びる副走査方向に移動させながら、原稿支持面に支持された原稿の画像を読取センサに読み取らせる読取処理を実行し、原稿カバーは、その一部が原稿カバーの厚さ方向に光を透過させる透明部材で構成されている。
【０００７】
この構成によれば、原稿支持面に支持された原稿を原稿カバーで押さえることができ、その状態で、読取センサを副走査方向に移動させながら、原稿の画像を読取センサにより読み取ることができる。しかも、原稿カバーの一部が透明部材で構成されているので、ユーザが透明部材を通して原稿支持面に支持された原稿を視認することができる。よって、ユーザが原稿支持面上での原稿の位置を確認することができる。
【発明の効果】
【０００８】
本発明によれば、作業が簡素でありながら、ユーザが原稿支持面上での原稿の位置を確認することができる。
【図面の簡単な説明】
【０００９】
【図１】本発明の一実施形態に係る画像読取装置が備えられた複合機の斜視図である。
【図２】画像読取装置の透明部材の近傍の構成を図解的に示す断面図である。
【図３】画像読取装置の電気的構成を示すブロック図である。
【図４】読取処理の流れを示すフローチャートである。
【図５】読取処理時の読取デバイスの動作を説明するための図である。
【図６】下読取設定処理の流れを示すフローチャートである。
【図７】下読取設定処理時の読取デバイスの動作を説明するための図である。
【図８】上読取設定処理の流れを示すフローチャートである。
【図９】上読取設定処理時の読取デバイスの動作を説明するための図である。
【図１０】境界枠の外周に特定画像が形成されている場合の原稿サイズの判別手法について説明するための図である。
【図１１】コンタクトガラス上に大型の原稿が支持されている場合の原稿サイズの判別手法について説明するための図である。
【図１２】コンタクトガラス上に小型の原稿が支持されている場合の原稿サイズの判別手法について説明するための図である。
【図１３】透明部材上に原稿が支持されている場合の原稿サイズの判別手法について説明するための図である。
【発明を実施するための形態】
【００１０】
以下では、本発明の実施の形態について、添付図面を参照しつつ詳細に説明する。
【００１１】
＜複合機の構成＞
図１に示される複合機（ＭＦＰ：Multi-Function Peripheral）１は、スキャン機能およびプリント機能など、複数の機能を有する電子機器である。スキャン機能は、原稿の画像を読み取って画像データを生成する機能である。プリント機能は、プリント用紙などのシートに画像データに係る画像を形成する機能である。複合機１は、スキャン機能のための画像読取装置２と、プリント機能のための画像形成装置３とを備えている。
【００１２】
画像読取装置２は、画像形成装置３上に積み重ねられている。画像読取装置２は、筐体４および原稿カバー５を備えている。筐体４は、略直方体形状をなしている。原稿カバー５は、開状態と閉状態とに開閉可能に設けられている。原稿カバー５の開状態では、筐体４の上面が露出する。原稿カバー５の閉状態では、原稿カバー５により筐体４の上面が被覆される。
【００１３】
筐体４の一側面には、操作パネル６が配置されている。複合機１では、その操作パネル６が配置されている側面が前面をなす。なお、以下の説明で使用するため、複合機１をその前面側から見た状態を基準に複合機１の左右を規定し、図１および図２などには、その規定に従った方向を矢印で示す。
【００１４】
筐体４の上面には、図２に示されるように、矩形板状のコンタクトガラス７（原稿支持面を有する支持部の一例）が配置されている。原稿カバー５には、原稿カバー５の閉状態でコンタクトガラス７の左後角寄りの部分と対向する位置に、左右方向に長い矩形状の窓８が厚さ方向に貫通して形成されている。そして、原稿カバー５の下面、つまりコンタクトガラス７との対向面には、板状の透明部材９が窓８を閉鎖するように配置されている。
【００１５】
筐体４内には、コンタクトガラス７の下側に、読取デバイス１１が左右方向に往復移動可能に設けられている。読取デバイス１１は、単一の筐体内に第１ＣＩＳ（Contact Image Sensor）１２および第２ＣＩＳ１３を備えている。
【００１６】
第１ＣＩＳ１２は、コンタクトガラス７上に支持される原稿の画像を読み取るために設けられている。第１ＣＩＳ１２は、読取素子群１４、光源１５およびロッド状レンズアレイ１６を有している。読取素子群１４は、複合機１の前後方向に一致する主走査方向に配列された複数の読取素子（受光素子）を含む。光源１５からの光がコンタクトガラス７と接触する原稿の読取対象面に照射されて、読取対象面での反射光がロッド状レンズアレイ１６を通過することにより読取素子群１４に結像し、読取対象面の主走査方向の１ライン分の画像が読取素子群１４に良好に読み取られる。読取素子群１４は、その読み取った１ライン分のアナログ画像信号を出力する。そして、読取デバイス１１が複合機１の左右方向に一致する副走査方向に移動されながら、読取対象面の画像が１ラインずつ順に読み取られることにより、読取対象面の画像の読み取りが達成される。
【００１７】
画像読取装置２では、窓８内の透明部材９上に支持される原稿の画像を読み取ることもできる。第２ＣＩＳ１３は、透明部材９上に支持される原稿の画像を読み取るために設けられている。第２ＣＩＳ１３は、読取素子群１７、光源１８およびロッド状レンズアレイ１９を有している。読取素子群１７は、複合機１の前後方向に一致する主走査方向に配列された複数の読取素子（受光素子）を含む。読取素子群１７は、第１ＣＩＳ１２の読取素子群１４と上下方向に同じ位置に配置されているが、ロッド状レンズアレイ１９の構成が第１ＣＩＳ１２のロッド状レンズアレイ１６の構成と異なり、ロッド状レンズアレイ１９による焦点距離がロッド状レンズアレイ１６による焦点距離よりも大きい。そのため、光源１８からの光が透明部材９と接触する原稿の読取対象面に照射されて、読取対象面での反射光がロッド状レンズアレイ１９を通過することにより読取素子群１７に結像し、読取対象面の主走査方向の１ライン分の画像が読取素子群１７に良好に読み取られる。読取素子群１７は、その読み取った１ライン分のアナログ画像信号を出力する。そして、読取デバイス１１が複合機１の左右方向に一致する副走査方向に移動されながら、読取対象面の画像が１ラインずつ順に読み取られることにより、読取対象面の画像の読み取りが達成される。
【００１８】
画像形成装置３は、図１に示されるように、筐体２１、供給カセット２２および排出トレイ２３を備えている。供給カセット２２は、筐体２１に対して前側から抜き差し可能に構成されている。供給カセット２２は、複数枚のプリント用紙などのシートを積み重なった状態で支持可能に構成されている。排出トレイ２３は、筐体２１の上面に形成されている。供給カセット２２からシートが１枚ずつ送り出され、その送り出されたシートが筐体２１内を排出トレイ２３に向けて搬送される。この搬送の途中、シートに画像が形成される。画像形成の方式は、電子写真方式であってもよいし、インクジェット方式であってもよい。また、シートに形成される画像は、カラー画像であってもよいし、モノクロ画像であってもよい。
【００１９】
＜画像読取装置の電気的構成＞
画像読取装置２は、図３に示されるように、ＡＳＩＣ（Application Specific Integrated Circuit）３１、ＲＯＭ（Read Only Memory）３２およびＲＡＭ（Random Access Memory）３３を備えている。
【００２０】
ＡＳＩＣ３１は、ＣＰＵ３４（制御部の一例）を内蔵している。ＲＯＭ３２は、フラッシュメモリなどの書き換え可能な不揮発性メモリからなる。ＲＯＭ３２には、ＣＰＵ３４によって実行されるプログラムおよび各種のデータなどが記憶されている。ＲＡＭ３３は、ＤＲＡＭ（Dynamic Random Access Memory）などの揮発性メモリであり、ＣＰＵ３４がプログラムを実行する際のワークエリアとして使用される。ＲＯＭ３２には、透明部材９と原稿カバー５との境界枠４１に基づく各読取時の読取範囲を規定する位置情報や境界枠８を示す対象画像情報が予め記憶されている。第１位置Ａは、図５に示すように境界枠４１のうち副走査方向に第１ＣＩＳのホームポジションから遠い位置、すなわち図５の境界枠４１の右端で示される位置から所定距離離れた位置である。第２位置Ｂは、図５で示すように境界枠４１のうち副走査方向に第１ＣＩＳのホームポジションから近い位置、すなわち図５の境界枠４１の左端で示される位置から所定距離ホームポジションから離れる（右側）位置である。第３位置Ｃは、第１ＣＩＳのホームポジションから所定距離離れた位置である。なお、所定距離は予め決められた任意の値（例えば３０ｍｍ）であり、この値は、各位置によって異なっていてもよい。第４位置Ｄは、境界枠４１のうち副走査方向に第１ＣＩＳのホームポジションに近い位置、すなわち図５の境界枠４１の左端で示される位置とほぼ同じ位置である。複合機１の製造時に透明部材９の取り付け位置から各値が算出される。算出された値にしたがい、第１ＣＩＳがホームポジションから第１位置Ａ〜第４位置Ｄまでの移動距離を第１位置Ａ〜第４位置Ｄの各値として記憶する。また、コンタクトガラス７に原稿が支持されていない状態で読取デバイス１１を第１位置Ａから第２位置Ｂまで移動させながら、第１ＣＩＳで読み取った境界枠の画像を対象画像として記憶している。
【００２１】
ＣＰＵ３４は、ＡＳＩＣ３１に入力される情報に基づいて、各種の処理のためのプログラムを実行することにより、操作パネル６、読取デバイス１１および読取デバイス１１を移動させる移動機構３５を含む画像読取装置２の各部を制御する。移動機構３５には、駆動源としてのモータ、モータの駆動力により回転するプーリおよびプーリに巻き掛けられたベルトなどが含まれる。
【００２２】
操作パネル６は、たとえば、タッチパネルからなり、液晶ディスプレイなどの表示部３６上に感圧式または静電容量式の透明フィルムスイッチなどの操作部３７を重ねて構成されている。表示部３６には、各種の情報や操作キーなどの画像が表示される。ユーザが表示部３６に表示される操作キーをタッチ操作することにより、そのタッチ操作された操作キーの種類に応じた指示が操作部３７に受け付けられる。操作部３７に指示が受け付けられると、その指示の内容に応じた信号（データ）が操作部３７からＡＳＩＣ３１に向けて送信される。
【００２３】
なお、表示部３６と操作部３７とは、タッチパネルを構成せずに、別々に独立して設けられていてもよい。
【００２４】
＜読取処理＞
画像読取装置２では、ユーザによって操作パネル６が操作されて、原稿の画像の読み取りの開始が指示されると、ＡＳＩＣ３１のＣＰＵ３４により、図４に示される読取処理（メインフロー）が実行される。原稿の画像の読み取りの開始が指示される前に、コンタクトガラス７上または透明部材９上に原稿が支持される。コンタクトガラス７上に原稿が支持される場合、コンタクトガラス７の左後角に原稿の左後角が合うように原稿が配置される。その後、原稿カバー５が開状態から閉状態に変位されて、原稿カバー５によりコンタクトガラス７上の原稿がコンタクトガラス７に向けて押さえられる。
【００２５】
読取処理では、ＣＰＵ３４は、移動機構３５を制御して、読取デバイス１１をＲＯＭ３２に記憶された値にしたがい第１位置Ａに移動させる（Ｓ１）。第１位置Ａは、図５に示されるように、原稿カバー５の下面における透明部材９と透明部材９以外の部分との境界からなる境界枠４１、つまり窓８の周縁からなる窓枠の右端から右側に所定距離を空けた位置である。
【００２６】
また、ＣＰＵ３４は、読取デバイス１１による主走査方向の読取範囲を第１範囲Ｒａ１に設定する（Ｓ２）。第１範囲Ｒａ１は、境界枠４１を包含する範囲である。すなわち、第１範囲Ｒａ１は、前端が境界枠４１の前端よりも前側に位置し、かつ、後端が境界枠４１の後端よりも後側に位置する範囲である。
【００２７】
その後、ＣＰＵ３４は、移動機構３５を制御して、読取デバイス１１を第１位置Ａから第２位置Ｂまで移動させながら、読取デバイス１１を制御して、その第１位置Ａから第２位置Ｂまでの領域Ｒｅ１を読み取るプレ読取を実行する（Ｓ３）。第２位置Ｂは、境界枠４１の左端から右側に所定距離（たとえば、３０ｍｍ）を空けた位置である。領域Ｒｅ１は、読取デバイス１１の第１ＣＩＳ１２により読み取られる。なお、読取デバイス１１の第２ＣＩＳ１３により読み取られてもよいが、この場合、ＲＯＭ３２に記憶される各位置情報および対象画像は、第２ＣＩＳ１３により読み取られた場合の値が記憶されている。
【００２８】
領域Ｒｅ１には、境界枠４１の右端縁の全部と前端縁および後端縁の各一部が含まれる。ＣＰＵ３４は、プレ読取で読み取られた読取画像に、その領域Ｒｅ１内に含まれる境界枠４１の右端縁の全部と前端縁および後端縁の各一部からなる対象画像の全体が含まれているか否かを判断する（Ｓ４）。原稿カバー５とコンタクトガラス７との間に原稿が存在する場合、コンタクトガラス７側から見て境界枠４１の少なくとも一部が原稿に隠される。そのため、読取画像に対象画像の全体は含まれない。一方、原稿カバー５とコンタクトガラス７との間に原稿が存在しない場合、コンタクトガラス７側から見て境界枠４１の全体が原稿に隠されない。そのため、対象画像の全体が読取画像に含まれる。
【００２９】
ＣＰＵ３４は、読取画像に対象画像の全体が含まれないと判断した場合（Ｓ４：ＮＯ）、つまり読取画像に対象画像の少なくとも一部が含まれないと判断した場合、コンタクトガラス７上に支持された原稿の画像を読み取るための設定を行う下読取設定処理を実行する（Ｓ５）。一方、ＣＰＵ３４は、読取画像に対象画像の全体が含まれると判断した場合（Ｓ４：ＹＥＳ）、透明部材９上に支持された原稿の画像を読み取るための設定を行う上読取設定処理を実行する（Ｓ６）。下読取設定処理および上読取設定処理については、それぞれ順に後述する。
【００３０】
そして、ＣＰＵ３４は、下読取設定処理または上読取設定処理の終了後、原稿の画像の全体を読み取る本読取を実行して（Ｓ７）、読取処理を終了する。読み取った画像に対し、後述するステップＳ５５、ステップＳ５７、ステップＳ６４またはステップＳ６６で決定した原稿サイズにしたがい生成したデータに対し、ステップＳ５９で決定した第１フィルタまたはステップＳ６８で決定した第２フィルタを用いた平滑化処理等の画像処理を実行し、読取画像データを生成する。生成した読取画像データは、設定された出力先へ出力する。
【００３１】
＜下読取設定処理＞
下読取設定処理の流れは、図６に示されている。下読取設定処理では、ＡＳＩＣ３１のＣＰＵ３４は、ユーザによる原稿のサイズに関する設定が「オート」であるか否かを判断する（Ｓ５１）。原稿の画像の読み取りの開始の指示に先立ち、ユーザにより、操作パネル６が操作されて、その読み取りの対象となる原稿のサイズに関する設定がなされる。このサイズ設定では、Ａ４、Ａ５およびＡ６などの定型サイズや任意のサイズ（ｍｍ）を指定することができる。また、サイズ設定では、画像読取装置２で原稿のサイズが自動的に判別される「オート」を指定することができる。
【００３２】
原稿のサイズに関する設定が「オート」である場合（Ｓ５１：ＹＥＳ）、ＣＰＵ３４は、移動機構３５を制御して、読取デバイス１１を第２位置Ｂから第３位置Ｃまでに移動させる（Ｓ５２）。第３位置Ｃは、コンタクトガラス７の左端から右側に所定距離（たとえば、３０ｍｍ）を空けた位置である。
【００３３】
また、ＣＰＵ３４は、読取デバイス１１による主走査方向の読取範囲を第２範囲Ｒａ２に設定する（Ｓ５３）。第２範囲Ｒａ２は、図７に示されるように、コンタクトガラス７を主走査方向に逸脱しない範囲である。たとえば、第２範囲Ｒａ２は、前端がコンタクトガラス７の前端から後側に所定距離（０であってもよい。）を空けた位置に位置し、かつ、後端がコンタクトガラス７の後端から前側に所定距離（０であってもよい。）を空けた位置に位置する範囲である。
【００３４】
その後、ＣＰＵ３４は、移動機構３５を制御して、読取デバイス１１を第３位置ＣからホームポジションＨＰまで移動させながら、読取デバイス１１を制御して、その第３位置Ｃからホームポジションまでの領域Ｒｅ２を読み取るプレ読取を実行する（Ｓ５４）。ホームポジションＨＰは、コンタクトガラス７の左端とほぼ同じ位置である。領域Ｒｅ２は、読取デバイス１１の第１ＣＩＳ１２により読み取られてもよいし、第２ＣＩＳ１３により読み取られてもよい。
【００３５】
領域Ｒｅ２の読み取りが完了すると、ＣＰＵ３４は、読取画像の解析により読取画像のエッジを検出し、その検出したエッジから特定されるサイズを本読取時のサイズとして決定する（Ｓ５５）。すなわち、領域Ｒｅ２の読み取りにより得られる読取画像からは、公知のエッジ検出手法により、原稿の前端のエッジを検出することができる。したがって、その前端のエッジの位置から、その原稿幅を有する定型原稿サイズが本読取時の原稿のサイズであることが特定される。
【００３６】
一方、原稿のサイズに関する設定が「オート」ではない場合（Ｓ５１：ＮＯ）、つまりユーザが原稿のサイズに関する設定で定型サイズまたは任意のサイズを指定した場合には、ＣＰＵ３４は、移動機構３５を制御して、読取デバイス１１を第２位置ＢからホームポジションＨＰまで移動させる（Ｓ５６）。そして、ＣＰＵ３４は、ユーザが設定したサイズを本読取時のサイズとして決定する（Ｓ５７）。
【００３７】
こうして、本読取時のサイズが決定されると、ＣＰＵ３４は、本読取に読取デバイス１１の第１ＣＩＳ１２を使用することを決定し（Ｓ５８）、平滑化処理に第１フィルタを使用することを決定し（Ｓ５９）、下読取設定処理を終了する。
【００３８】
＜上読取設定処理＞
上読取設定処理の流れは、図８に示されている。上読取設定処理では、ＡＳＩＣ３１のＣＰＵ３４は、ユーザによる原稿のサイズに関する設定が「オート」であるか否かを判断する（Ｓ６１）。原稿のサイズに関する設定が「オート」である場合（Ｓ６１：ＹＥＳ）、ＣＰＵ３４は、読取デバイス１１による主走査方向の読取範囲を第３範囲Ｒａ３に設定する（Ｓ６２）。第３範囲Ｒａ３は、図９に示されるように、境界枠４１を主走査方向に逸脱しない範囲である。たとえば、第３範囲Ｒａ３は、前端が境界枠４１の前端から後側に所定距離（０であってもよい。）を空けた位置に位置し、かつ、後端が境界枠４１の後端から前側に所定距離（０であってもよい。）を空けた位置に位置する範囲である。
【００３９】
その後、ＣＰＵ３４は、移動機構３５を制御して、読取デバイス１１を第２位置Ｂから第４位置Ｄまで移動させながら、読取デバイス１１を制御して、その第２位置Ｂから第４位置Ｄまでの領域Ｒｅ３を読み取るプレ読取を実行する（Ｓ６３）。第４位置Ｄは、境界枠４１の左端の位置とほぼ同じ位置である。領域Ｒｅ３は、読取デバイス１１の第１ＣＩＳ１２により読み取られてもよいし、第２ＣＩＳ１３により読み取られてもよい。
【００４０】
領域Ｒｅ３の読み取りが完了すると、ＣＰＵ３４は、読取画像の解析により読取画像のエッジを検出し、その検出したエッジから特定されるサイズを本読取時のサイズとして決定する（Ｓ６４）。すなわち、領域Ｒｅ３の読み取りにより得られる読取画像からは、公知のエッジ検出手法により、原稿の前端および後端の各エッジを検出することができる。したがって、前端のエッジと後端のエッジとの間隔を求めることができ、その間隔から原稿のサイズを特定することができる。
【００４１】
一方、原稿のサイズに関する設定が「オート」ではない場合（Ｓ６１：ＮＯ）、つまりユーザが原稿のサイズに関する設定で定型サイズまたは任意のサイズを指定した場合には、ＣＰＵ３４は、移動機構３５を制御して、読取デバイス１１を第２位置Ｂから第４位置Ｄまで移動させる（Ｓ６５）。そして、ＣＰＵ３４は、ユーザが設定したサイズを本読取時のサイズとして決定する（Ｓ６６）。
【００４２】
こうして、本読取時のサイズが決定されると、ＣＰＵ３４は、本読取に読取デバイス１１の第２ＣＩＳ１３を使用することを決定し（Ｓ６７）、平滑化処理に第２フィルタを使用することを決定し（Ｓ６８）、上読取設定処理を終了する。なお、第２フィルタは、第１フィルタより平滑化が弱めで強調が強めに設定されている。
【００４３】
＜作用効果＞
以上のように、原稿カバー５がコンタクトガラス７を露出させる開状態とコンタクトガラス７を被覆する閉状態とに開閉可能に設けられているので、コンタクトガラス７上に支持された原稿を原稿カバー５で押さえることができる。この状態で、読取デバイス１１を副走査方向に移動させながら、原稿の画像を読取デバイス１１により読み取ることができる。しかも、原稿カバー５の一部が透明部材９で構成されているので、ユーザが透明部材９を通してコンタクトガラス７上に支持された原稿を視認することができる。よって、ユーザがコンタクトガラス７上での原稿の位置を確認することができる。
【００４４】
また、読取デバイス１１には、第１ＣＩＳ１２および第２ＣＩＳ１３が備えられており、原稿がコンタクトガラス７上に支持されている場合には、コンタクトガラス７上の原稿の画像の読み取りに適した第１ＣＩＳ１２が本読取に使用される。一方、原稿が透明部材９上に支持されている場合には、透明部材９上の原稿の画像の読み取りに適した第２ＣＩＳ１３が本読取に使用される。これにより、原稿がコンタクトガラス７上および透明部材９上のいずれに支持されても、その原稿の画像を良好に読み取ることができる。
【００４５】
また、透明部材９上の原稿の画像を読み取る際に、焦点距離が異なるＣＩＳを用いるだけでは不十分なケースがある。すなわち、透明部材の材質やコンタクトガラス７と透明部材９との間の空気層により、焦点距離を変えるだけでは十分対応できない可能性がある。このような場合であっても、平滑化処理のフィルタを変えることにより、画質の劣化を軽減させた画像を表す読取画像データを生成できる。
【００４６】
読取処理では、領域Ｒｅ１を読み取るプレ読取が実行されて、そのプレ読取で読み取られた読取画像に、領域Ｒｅ１内に含まれる境界枠４１の右端縁の全部と前端縁および後端縁の各一部からなる対象画像の全体が含まれているか否かが判断される。そして、読取画像に対象画像の全体が含まれていないと判断された場合には、コンタクトガラス７上に支持された原稿のサイズに応じた本読取が実行される。一方、読取画像に対象画像の全体が含まれると判断された場合、透明部材９上に支持された原稿のサイズに応じた本読取が実行される。これにより、原稿の画像を有さない範囲まで読取デバイス１１を移動させるといった無駄な処理を行うことなく、適切なサイズの画像データを得ることができる。
【００４７】
コンタクトガラス７上に支持されている原稿のサイズが自動的に判別される場合、そのサイズの特定に必要な領域Ｒｅ２の読み取りでは、コンタクトガラス７の左端から右側に所定距離を空けた第３位置Ｃからコンタクトガラス７の左端とほぼ同じ位置であるホームポジションまでの領域Ｒｅ２が読み取られる。領域Ｒｅ２には、境界枠４１が含まれないので、境界枠４１を原稿のエッジとして誤検出されることを抑制できる。
【００４８】
また、原稿がコンタクトガラス７上に支持されている場合には、原稿のサイズの判別のためのプレ読取の際に、主走査方向の読取範囲が第２範囲Ｒａ２に設定されるのに対し、原稿が透明部材９上に支持されている場合には、原稿のサイズの判別のためのプレ読取の際に、主走査方向の読取範囲が第２範囲Ｒａ２よりも狭い第３範囲Ｒａ３に設定される。これにより、原稿が透明部材９上に支持されている場合に、プレ読取で不要な領域まで読み取られることを抑制でき、不要な領域に付着しているごみなどを原稿のエッジとして誤って検出することを抑制できる。その結果、原稿のサイズを良好に判別することができる。
【００４９】
透明部材９は、原稿カバー５の閉状態でコンタクトガラス７の左後角寄りの部分と対向する位置に設けられている。これにより、コンタクトガラス７の左後角に原稿の左後角が合うように原稿が配置される構成において、読取処理のプレ読取で取得される読取画像から原稿がコンタクトガラス７上に支持されているか透明部材９上に支持されているかを良好に判別することができる。
【００５０】
＜変形例＞
以上、本発明の一実施形態について説明したが、本発明は、他の形態で実施することもできる。
【００５１】
たとえば、図１０に示されるように、原稿カバー５の下面に、境界枠４１の外周部に文字列などの特定画像５１が形成されていてもよい。この場合、読取処理では、ＡＳＩＣ３１のＣＰＵ３４は、移動機構３５を制御して読取デバイス１１を移動させる移動先として、第１位置Ａの代わりに第１位置Ｅ、第３位置Ｃの代わりに第３位置Ｈとする。第１位置Ｅは、境界枠４１の右端から特定画像５１がすべて包含される程度右側に所定距離を空けた位置である。ＣＰＵ３４は、読取デバイス１１による主走査方向の読取範囲を少なくとも特定画像５１が包含される範囲に設定する。第３位置Ｈは、ホームポジションから所定距離右側でありかつ境界枠４１の左端から特定画像５１がすべて包含される程度左側に所定距離を空けた位置である。ＣＰＵ３４はが移動機構３５を制御して第３位置Ｈからホームポジションまでの間に読取デバイス１１を移動させた際に、原稿がセットされていなくても特定画像５１が読み取られない。また、境界枠４１の対象画像として、特定画像５１を含む画像を対象画像としてＲＯＭ３２に記憶する。境界枠４１の外周部に文字列などの特定画像５１が形成されることにより、読取処理により読み取られた画像に境界枠４１が含まれるか否かをより明確に判断できる。
【００５２】
また、本実施例では、プレ読取により得られる読取画像に境界枠４１（または特定画像５１）を含む対象画像全体が含まれるかを判断していたが、さらに、対象画像の一部を含むかまったく含まないかを判断してもよい。図１０から図１３の特定画像５１を含むケースを例に説明する。なお、特定画像５１を含まない場合でも特定画像５１の代わりに境界枠４１で形成される画像を用いて同様に実施可能である。なお、ＲＯＭ３２には、第１位置Ｅ、第２位置Ｂ（図１３では第２位置Ｉとして説明）、第３位置Ｈ、第４位置Ｄに加え、第５位置Ｆ、第６位置Ｇに関する値も記憶する。ＣＰＵ３４は、移動機構３５を制御して、読取デバイス１１を第１位置Ｅに移動させた後、読取デバイス１１を第１位置Ｅから第５位置Ｆまで移動させながら、読取デバイス１１の第１ＣＩＳ１２を使用して、その第１位置Ｅから第５位置Ｆまでの領域を読み取るプレ読取を実行する。第５位置Ｆは、境界枠４１の右端から左側に所定距離を空けた位置である。すなわち、特定画像５１の右端の対象画像を含む領域をプレ読取する。
【００５３】
プレ読取により得られる読取画像に特定画像５１が含まれない場合は、図１１に示されるように、コンタクトガラス７上に原稿が支持されて、コンタクトガラス７側から見て特定画像５１の全体が原稿に隠される場合である。この場合、ＣＰＵ３４は、移動機構３５を制御して、読取デバイス１１を第５位置Ｆから第３位置Ｈまで移動させる。第３位置Ｈは、コンタクトガラス７の左端から右側に所定距離（たとえば、３０ｍｍ）を空けた位置である。そして、ＣＰＵ３４は、移動機構３５を制御して、読取デバイス１１を第３位置ＨからホームポジションＨＰまで移動させながら、読取デバイス１１を制御して、その第３位置Ｈからホームポジションまでの領域を読み取るプレ読取を実行する。プレ読取が完了すると、ＣＰＵ３４は、読取画像の解析により読取画像のエッジを検出し、その検出したエッジから特定されるサイズを本読取時のサイズとして決定する。
【００５４】
プレ読取により得られる読取画像に特定画像５１が含まれる場合は、図１２に示されるように、コンタクトガラス７上に原稿が支持されて、コンタクトガラス７側から見て特定画像５１の一部が原稿に隠される場合であるか、または、図１３に示されるように、透明部材９上に原稿が支持されている場合である。このとき、ＣＰＵ３４は、移動機構３５を制御して、読取デバイス１１を第５位置Ｆから第６位置Ｇまで移動させながら、読取デバイス１１を制御して、その第５位置Ｆから第６位置Ｇまでの領域を読み取るプレ読取を実行する。第６位置Ｇは、画像読取装置２で読み取りが可能な最小サイズの原稿の右端よりも左側に所定距離を空けた位置である。
【００５５】
プレ読取により得られた読取画像で特定画像５１の後側の部分が前側の部分と比較して途中で途切れている場合は、図１２に示されるように、コンタクトガラス７上に原稿が支持されて、コンタクトガラス７側から見て特定画像５１の一部が原稿に隠される場合であると考えられる。この場合、ＣＰＵ３４は、移動機構３５を制御して、読取デバイス１１を第６位置Ｇから第３位置Ｈまで移動させる。そして、ＣＰＵ３４は、移動機構３５を制御して、読取デバイス１１を第３位置ＨからホームポジションＨＰまで移動させながら、読取デバイス１１を制御して、その第３位置Ｈからホームポジションまでの領域を読み取るプレ読取を実行する。このとき、読取デバイス１１による主走査方向の読取範囲は、画像読取装置２で読み取りが可能な最小サイズの原稿の主走査方向の寸法に所定量αを加えた長さの範囲に設定される。プレ読取が完了すると、ＣＰＵ３４は、読取画像の解析により読取画像のエッジを検出し、その検出したエッジから特定されるサイズを本読取時のサイズとして決定する。
【００５６】
プレ読取により得られた読取画像で特定画像５１の後側の部分の長さが前側の部分の長さと同じである場合は、図１３に示されるように、透明部材９上に原稿が支持されている場合と考えられる。この場合、ＣＰＵ３４は、移動機構３５を制御して、読取デバイス１１を第６位置Ｇから第２位置Ｉまで移動させながら、読取デバイス１１を制御して、その第６位置Ｇから第２位置Ｉまでの領域を読み取るプレ読取を実行する。このとき、読取デバイス１１による主走査方向の読取範囲は、境界枠４１を主走査方向に逸脱しない範囲に設定される。第２位置Ｉは、境界枠４１の左端から右側に所定距離（たとえば、３０ｍｍ）を空けた位置、すなわち本実施例の第２位置Ｂと同じ位置である。プレ読取が完了すると、ＣＰＵ３４は、読取画像の解析により読取画像のエッジを検出し、その検出したエッジから特定されるサイズを本読取時のサイズとして決定する。
【００５７】
エッジ検出の際の主走査方向の読取範囲を、プレ読取時の読取画像に含まれる特定画像５１（境界枠４１）から判断できるため、原稿以外のゴミ等を誤って原稿の一部であると判断してしまうことを防止でき、適切な原稿のサイズでの本読取処理を行うことができる。
【００５８】
また、前述の実施形態では、コンタクトガラス７上に支持された原稿の本読取時には、読取デバイス１１の第１ＣＩＳ１２が使用され、透明部材９上に支持された原稿の本読取時には、読取デバイス１１の第２ＣＩＳ１３が使用されるとした。しかし、これに限らず、読取デバイス１１から第２ＣＩＳ１３が省略されて、コンタクトガラス７上に支持された原稿の本読取時には、第１ＣＩＳ１２により読み取られた画像に対して平滑化が弱めに設定された第１フィルタを用いた画像処理が実行され、透明部材９上に支持された原稿の本読取時には、第１ＣＩＳ１２により読み取られた画像に対して第１フィルタよりも平滑化が強めに設定された第２フィルタを用いた画像処理が実行されてもよい。このような画像処理の実行により、原稿がコンタクトガラス７上および透明部材９上のいずれに支持されても、その原稿の画像を良好に読み取ることができる。
【００５９】
また、前述の実施形態では、第１ＣＩＳ１２の読取素子群１４と第２ＣＩＳ１３の読取素子群１７とが上下方向に同じ位置に配置されて、ロッド状レンズアレイ１９による焦点距離がロッド状レンズアレイ１６による焦点距離よりも大きいとしたが、第１ＣＩＳ１２および第２ＣＩＳ１３に同じロッド状レンズアレイが用いられて、第２ＣＩＳ１３の読取素子群１７が透明部材９の厚さ分だけ第１ＣＩＳ１２の読取素子群１４よりも高い位置に配置されてもよい。
【００６０】
さらに、前述の実施形態では、ＣＰＵ３４が各処理を実行する場合について説明した。しかしながら、ＡＳＩＣ３１が複数のＣＰＵを備え、複数のＣＰＵが協働して各処理を実行してもよい。
【００６１】
その他、前述の構成には、特許請求の範囲に記載された事項の範囲で種々の設計変更を施すことが可能である。
【符号の説明】
【００６２】
２：画像読取装置
５：原稿カバー
７：コンタクトガラス
９：透明部材
１１：読取デバイス
１４，１７：読取素子群
１６，１９：ロッド状レンズアレイ
３４：ＣＰＵ
３５：移動機構
４１：境界枠
５１：特定画像
【図１】
2019193212.tif 000003
【図２】
2019193212.tif 000004
【図３】
2019193212.tif 000005
【図４】
2019193212.tif 000006
【図５】
2019193212.tif 000007
【図６】
2019193212.tif 000008
【図７】
2019193212.tif 000009
【図８】
2019193212.tif 000010
【図９】
2019193212.tif 000011
【図１０】
2019193212.tif 000012
【図１１】
2019193212.tif 000013
【図１２】
2019193212.tif 000014
【図１３】
2019193212.tif 000015